(57)【要約】      （修正有）【課題】医療用廃棄物を容易に内部に入れることが出来るとともに、入れた医療用廃棄物の外部への飛び出しを確実に防止することが可能な医療用廃棄物収納袋を提供する。【解決手段】開口部１２は、表面シート１０の下端を裏面シート１１の下端に対応させ、表面シートを裏面シートに重ね合わせて、表面シートの上端と裏面シートとの間に形成される。中シート１３は、裏面シートの上端から開口部を介し開口部の下方の所定の位置まで表面シートと裏面シートとの間に挿入される。周縁溶着部１６は、表面シートと裏面シートとの周縁を溶着している。開口部溶着部１７は、開口部の下方で、表面シートと中シートと裏面シートとを重ね合わせて溶着し、開口部から内部に向かって狭くなるハの字状である。引き部１８は、表面シート側の開口部の外面に設けられ、第一の指掛け穴１８ａを有する。掛け部１９は、裏面シートと中シートとの上方の部分で構成され、第二の指掛け穴１９ａを有する。【選択図】図１
0003212064.tif 000002
【実用新案登録請求の範囲】
【請求項１】
合成樹脂製の表面シートと、
前記表面シートよりも長手方向に長い、合成樹脂製の裏面シートと、
前記表面シートの下端を前記裏面シートの下端に対応させ、前記表面シートを前記裏面シートに重ね合わせて、前記表面シートの上端と前記裏面シートとの間に形成される開口部と、
前記裏面シートの上端から前記開口部を介し前記開口部の下方の所定の位置まで前記表面シートと前記裏面シートとの間に挿入された、合成樹脂製の中シートと、
前記表面シート側の開口部の内面に設けられた第一のファスナーと、
前記中シート側に設けられた、前記第一のファスナーと着脱する第二のファスナーと、
前記開口部以外で、前記中シートの右端と左端とを含み、前記表面シートと前記裏面シートとの周縁を溶着している周縁融着部と、
前記開口部の下方で、前記表面シートと前記中シートと前記裏面シートとを重ね合わせて溶着し、前記開口部から内部に向かって狭くなるハの字状である開口部融着部と、
前記表面シート側の開口部の外面に設けられ、第一の指掛け穴を有する引き部と、
前記裏面シートと前記中シートとの上方の部分で構成され、第二の指掛け穴を有する掛け部と、
を備える医療用廃棄物収納袋。
【考案の詳細な説明】
【技術分野】
【０００１】
本考案は、オートインジェクタ、ペン型注射器といった医療用廃棄物を収容する医療用廃棄物収納袋に関する。
【背景技術】
【０００２】
糖尿病患者のインスリン製剤、リュウマチ治療薬は、通常、オートインジェクタ、ペン型注射器と呼ばれる使い捨て注射器の医療用廃棄物によって患者に供給されるが、この医療用廃棄物は、使用後に安全に収納され、医療機関に回収される必要がある。
【０００３】
医療用廃棄物を袋内に収納し易く、収納後の医療用廃棄物が袋から出ない構造を有する技術が存在する。例えば、実用新案登録第３２０５１５６号公報（特許文献１）には、柔軟な合成樹脂製シートである裏面シートと表面シートを重ね合わせて周縁を溶着する医療用廃棄物収納袋が開示されている。この医療用廃棄物収納袋は、平面である裏面シートに対し、表面シートは途中で裏面シート側に基方へ折り返し、該基方への折り返しに続けて先方へ折り返すことによってマチを形成し、該マチの先方への折り返し部分に医療用廃棄物を通過させることができる大きさの貫通孔を設けたことを特徴とする。これにより、柔軟な合成樹脂製袋のマチの解放部から狭小部であるマチの折り返し部分に形成される貫通孔から袋内に医療用廃棄物を投入するため、投入時はマチの傾斜に沿って円滑に投入することができ、折り返し部分の自然な折曲動作によって、折り返し部分に形成された貫通孔が常時狭められることになり、一旦投入された医療用廃棄物は、袋内に閉じ込められ容易に飛び出すことがないとしている。
【先行技術文献】
【特許文献】
【０００４】
【特許文献１】実用新案登録第３２０５１５６号公報
【考案の概要】
【考案が解決しようとする課題】
【０００５】
しかしながら、上述した特許文献１に記載の技術では、マチを形成させるための十分な表面シートを必要とし、コスト高になるという課題がある。又、マチの解放部から狭小部のマチの折り返し部分の貫通孔に医療用廃棄物を挿入する際に、医療用廃棄物収納袋に医療用廃棄物を貫通孔へ案内する手段が無いため、貫通孔以外の折り返し部分に医療用廃棄物が当接して引っ掛かり、手指が不自由な患者が医療用廃棄物を貫通孔に通し難いという課題がある。
【０００６】
そこで、本考案は、前記課題を解決するためになされたものであり、簡単な構造であるにもかかわらず、手指が不自由な患者であっても医療用廃棄物を容易に内部に入れることが出来るとともに、入れた医療用廃棄物の外部への飛び出しを確実に防止することが可能な医療用廃棄物収納袋を提供することを目的とする。
【課題を解決するための手段】
【０００７】
本考案者は、鋭意研究を重ねた結果、本考案に係る新規な医療用廃棄物収納袋を完成させた。即ち、本考案に係る医療用廃棄物収納袋は、表面シートと、裏面シートと、開口部と、中シートと、第一のファスナーと、第二のファスナーと、周縁融着部と、開口部融着部と、引き部と、掛け部と、を備える。表面シートは、合成樹脂製である。裏面シートは、前記表面シートよりも長手方向に長く、合成樹脂製である。開口部は、前記表面シートの下端を前記裏面シートの下端に対応させ、前記表面シートを前記裏面シートに重ね合わせて、前記表面シートの上端と前記裏面シートとの間に形成される。中シートは、前記裏面シートの上端から前記開口部を介し前記開口部の下方の所定の位置まで前記表面シートと前記裏面シートとの間に挿入され、合成樹脂製である。第一のファスナーは、前記表面シート側の開口部の内面に設けられている。第二のファスナーは、前記中シート側に設けられ、前記第一のファスナーと着脱する。周縁溶着部は、前記開口部以外で、前記中シートの右端と左端とを含み、前記表面シートと前記裏面シートとの周縁を溶着している。開口部溶着部は、前記開口部の下方で、前記表面シートと前記中シートと前記裏面シートとを重ね合わせて溶着し、前記開口部から内部に向かって狭くなるハの字状である。引き部は、前記表面シート側の開口部の外面に設けられ、第一の指掛け穴を有する。掛け部は、前記裏面シートと前記中シートとの上方の部分で構成され、第二の指掛け穴を有する。
【考案の効果】
【０００８】
本考案によれば、簡単な構造であるにもかかわらず、手指が不自由な患者であっても医療用廃棄物を容易に内部に入れることが出来るとともに、入れた医療用廃棄物の外部への飛び出しを確実に防止することが可能となる。
【図面の簡単な説明】
【０００９】
【図１】本考案に係る医療用廃棄物収納袋の正面図と背面図とである。
【図２】本考案に係る医療用廃棄物収納袋の右側面図と左側面図とＡ−Ａ線断面図とＢ−Ｂ線断面図と平面図と底面図とである。
【図３】本考案に係る医療用廃棄物収納袋の使用形態を示す第一の斜視図（図３Ａ）と、本考案に係る医療用廃棄物収納袋の使用形態を示す第二の斜視図（図３Ｂ）とである。
【図４】本考案に係る医療用廃棄物収納袋の使用形態を示す第三の斜視図（図４Ａ）と、本考案に係る医療用廃棄物収納袋の使用形態を示す第四の斜視図（図４Ｂ）とである。
【図５】本考案に係る医療用廃棄物収納袋の使用形態を示す第一のＡ−Ａ線断面図（図５Ａ）と、本考案に係る医療用廃棄物収納袋の使用形態を示す第二のＡ−Ａ線断面図（図５Ｂ）と、本考案に係る医療用廃棄物収納袋の使用形態を示す第三のＡ−Ａ線断面図（図５Ｃ）と、本考案に係る医療用廃棄物収納袋の使用形態を示す第四のＡ−Ａ線断面図（図５Ｄ）とである。
【図６】本考案に係る他の医療用廃棄物収納袋の正面図と拡大図とである。
【考案を実施するための形態】
【００１０】
以下に、添付図面を参照して、本考案の実施形態について説明し、本考案の理解に供する。尚、以下の実施形態は、本考案を具体化した一例であって、本考案の技術的範囲を限定する性格のものではない。
【００１１】
本考案に係る医療用廃棄物収納袋１は、図１、図２に示すように、表面シート１０と、裏面シート１１と、開口部１２と、中シート１３と、第一のファスナー１４と、第二のファスナー１５と、周縁融着部１６と、開口部融着部１７と、引き部１８と、掛け部１９と、を備える。
【００１２】
表面シート１０は、合成樹脂製である。裏面シート１１は、前記表面シート１０よりも長手方向に長く、合成樹脂製である。開口部１２は、前記表面シート１０の下端１０ａを前記裏面シート１１の下端１１ａに対応させ、前記表面シート１０を前記裏面シート１１に重ね合わせて、前記表面シート１０の上端１０ｂと前記裏面シート１１との間に形成される。中シート１３は、前記裏面シート１１の上端１１ｂから前記開口部１２を介し前記開口部１２の下方の所定の位置Ｌまで前記表面シート１０と前記裏面シート１１との間に挿入され、合成樹脂製である。第一のファスナー１４は、前記表面シート１０側の開口部１２の内面に設けられている。第二のファスナー１５は、前記中シート１３側に設けられ、前記第一のファスナー１４と着脱する。つまり、第二のファスナー１５は、第一のファスナー１４の位置に対向する位置に設けられる。周縁溶着部１６は、前記開口部１２以外で、前記中シート１３の右端１３ａと左端１３ｂとを含み、前記表面シート１０と前記裏面シート１１との周縁を溶着している。開口部溶着部１７は、前記開口部１２の下方で、前記表面シート１０と前記中シート１３と前記裏面シート１１とを重ね合わせて溶着し、前記開口部１２から内部に向かって狭くなるハの字状である。引き部１８は、前記表面シート１０側の開口部１２の外面に設けられ、第一の指掛け穴１８ａを有する。掛け部１９は、前記裏面シート１１と前記中シート１３との上方の部分で構成され、第二の指掛け穴１９ａを有する。
【００１３】
これにより、簡単な構造であるにもかかわらず、手指が不自由な患者であっても医療用廃棄物を容易に内部に入れることが出来るとともに、入れた医療用廃棄物の外部への飛び出しを確実に防止することが可能となる。
【００１４】
即ち、本考案では、マチを構成するのではなく、中シート１３を開口部１２を介して表面シート１０と裏面シート１１との間に挿入する構成としているため、マチを構成するためのシート部材を不要としている。又、折り返し部分も無く、重ね合せた表面シート１０と中シート１３と裏面シート１１とを周縁で溶着することで構成するため、製造が容易となる。
【００１５】
ここで、本考案では、表面シート１０側の開口部１２から延びる引き部１８と、中シート１３と裏面シート１１との上方の部分で構成される掛け部１９とを備えているため、図３Ａ、図５Ａに示すように、先ず、患者が、掛け部１９の第二の指掛け穴１９ａに一方の手の指を掛け、引き部１８の第一の指掛け穴１８ａに他方の手の指を掛けて引っ張ると、図３Ｂ、図５Ｂに示すように、開口部１２の下方の第一のファスナー１４と第二のファスナー１５とが脱離して、開口部１２が開かれる。
【００１６】
又、開口部１２の下方に設けられた開口部溶着部１７は、開口部１２から内部に向かって狭くなるハの字状であるため、開口部１２が開き過ぎず狭小に開かれるとともに、表面シート１０と裏面シート１１とで構成される袋の入り口に視覚的に誘導し、開口部１２を介して袋内に医療用廃棄物を挿入し易くする。一方で、開口部１２が狭小であることから、挿入した医療用廃棄物を出難くする。
【００１７】
ここで、図４Ａ、図５Ｃに示すように、患者が、引き部１９に沿って医療用廃棄物Ａを開口部１２に向かわせ、開口部１２に医療用廃棄物Ａを挿入すると、医療用廃棄物Ａが、袋の内部に容易に収納される。
【００１８】
医療用廃棄物Ａの全体が袋の内部に収納されると、表面シート１０と裏面シート１１が膨らむとともに、中シート１３の下端Ｌが自由端となり、内部で邪魔板のように機能する。そのため、図４Ｂ、図５Ｄに示すように、袋内の医療用廃棄物Ａの上端が、中シート１３の下端Ｌに引っ掛かり、内部の医療用廃棄物Ａを更に外部に出難くすることが出来る。
【００１９】
この状態で、患者が、表面シート１０の外面から押して、表面シート１０の第一のファスナー１４を中シート１３の第二のファスナー１５に付着（吸着）させれば、内部の医療用廃棄物Ａを確実に収納したままにすることが出来る。これにより、患者は使用済の医療用廃棄物を安全に医療機関に返すことが出来る。
【００２０】
尚、本考案の実施形態では、表面シート１０と裏面シート１１と中シート１３とで構成される袋全体の形状を長方形としたが、これに限定する必要は無く、例えば、正方形であっても良い。
【００２１】
又、開口部溶着部１７のハの字状に特に限定は無く、例えば、図１に示すように、緩やかな傾斜のハの字状であっても、急な傾斜のハの字状であっても良い。又、第一のファスナー１４と第二のファスナー１５の種類に特に限定は無く、点ファスナー、線ファスナー、面ファスナーを採用することが出来る。本考案の実施形態では、第一のファスナー１４と第二のファスナー１５は、雌型の凹の線ファスナー（チャック）と雄型の凸の線ファスナー（チャック）を採用している。
【００２２】
又、引き部１８の形状は、患者の引き易さを考慮して、図１に示すように、雫状に構成したが、これに限定する必要は無く、例えば、長方形等、他の形状であっても良い。
【００２３】
又、引き部１８の第一の指掛け穴１８ａの形状は、患者の指の掛け易さを考慮して、図１に示すように、上下に長い楕円状に構成したが、これに限定する必要は無く、例えば、円形等、他の形状であっても良い。
【００２４】
又、掛け部１９の形状は、図１に示すように、裏面シート１１と中シート１３との形状に基づいて、長方形に構成したが、これに限定する必要は無く、例えば、他の形状であっても良い。
【００２５】
又、掛け部１９の第二の指掛け穴１９ａの形状は、患者の指の掛け易さを考慮して、図１に示すように、左右に長い楕円状に構成したが、これに限定する必要は無く、例えば、円形等、他の形状であっても良い。
【００２６】
又、掛け部１９の構成は、裏面シート１１と中シート１３との周縁の溶着に基づく周縁溶着部１６によるが、患者の掛け易さを考慮して、裏面シート１１と中シート１３とを一体とするために、図１に示すように、開口部１２の上方近傍に左右に直線状に溶着した掛け部溶着部２０を設けても良い。これにより、患者が掛け部１９を強く引っ張っても、裏面シート１１と中シート１３とが一体となり、耐久性を向上させる。
【００２７】
又、医療用廃棄物収納袋１の耐久性を向上させるために、第一のファスナー１４と第二のファスナー１５に補強溶着部を設けても良い。補強溶着部の形態に特に限定は無く、例えば、図６に示すように、第一のファスナー１４の下方近傍に左右に直線状に溶着した第一の補強溶着部２１を設け、第二のファスナー１５の上方近傍に左右に直線状に溶着した第二の補強溶着部２２を設けても良い。
【００２８】
又、表面シート１０の外面と裏面シート１１の外面には、例えば、医療用廃棄物に関する説明文や図面を適宜設けても構わない。
【００２９】
尚、本考案の実施形態では、医療用廃棄物収納袋１の構成に、更に、他の機能を追加しても構わない。
【産業上の利用可能性】
【００３０】
以上のように、本考案は、オートインジェクタ、ペン型注射器といった医療用廃棄物を収容する医療用廃棄物収納袋として有用であり、簡単な構造であるにもかかわらず、手指が不自由な患者であっても医療用廃棄物を容易に内部に入れることが出来るとともに、入れた医療用廃棄物の外部への飛び出しを確実に防止することが可能な医療用廃棄物収納袋として有効である。
【符号の説明】
【００３１】
１    医療用廃棄物収納袋
１０  表面シート
１１  裏面シート
１２  開口部
１３  中シート
１４  第一のファスナー
１５  第二のファスナー
１６  周縁融着部
１７  開口部融着部
１８  引き部
１９  掛け部
【図１】
0003212064.tif 000003
【図２】
0003212064.tif 000004
【図３】
0003212064.tif 000005
【図４】
0003212064.tif 000006
【図５】
0003212064.tif 000007
【図６】
0003212064.tif 000008